(57)【要約】【課題】圧力損失が小さく、生産コストの安価な脱臭手段を有した空気浄化装置を提供することを目的とする。【解決手段】本発明の空気浄化装置５は、通風路１と、この通風路１の内壁面２に膜状に設けられた脱臭手段３と送風手段４によって構成されるものであり、送風手段４が導入する空気６が通風路１を通過するときに脱臭手段３が空気６に含まれる臭気を除去するものである。この手段により、圧力損失が小さく、生産コストの安価な脱臭手段３を有した空気浄化装置５が得られる。【選択図】図１
2009189602.tif 000002
【特許請求の範囲】
【請求項１】
脱臭手段と送風手段と通風路を備え、前記脱臭手段は、前記通風路の内壁面上に膜状に設けられることを特徴とする空気浄化装置。
【請求項２】
前記脱臭手段は、粒状活性炭を脱臭材として用いることを特徴とする請求項１記載の空気浄化装置。
【請求項３】
前記脱臭手段は、脱臭剤を配したシート材であることを特徴とする請求項１または２記載の空気浄化装置。
【請求項４】
前記通風路が筒状の内壁を形成している場合において、前記脱臭手段は、前記通風路の内壁の形状にあわせて前記シート材を筒状に成型したものであり、この筒状の脱臭手段を通風路の上流側または下流側から挿入して形成される請求項３記載の空気浄化装置。
【請求項５】
前記脱臭手段は、、脱臭剤を配した波板材であることを特徴とする請求項１または２記載の空気浄化装置。
【請求項６】
前記通風路が筒状の内壁を形成している場合において、前記脱臭手段は、前記波板材を用いて、この波板の折り目の方向を通風方向と平行にし、前記波板材を屈曲させて前記通風路の内壁に貼り付けられることを特徴とする請求項５記載の空気浄化装置。
【請求項７】
前記脱臭手段は、波板材に平板材を貼り合わせて構成されることを特徴とする請求項５、または６に記載の空気浄化装置。
【請求項８】
前記脱臭手段を前記通風路の内壁に貼り付ける際、屈曲部となる位置で平板材を切断することを特長とする請求項７記載の空気浄化装置。
【請求項９】
前記脱臭手段の波板材、および平板材は、紙と脱臭剤を主原料として構成されることを特徴とする請求項３〜８いずれかひとつに記載の空気浄化装置。
【請求項１０】
請求項１〜９いずれかひとつに記載の空気浄化装置を庫内に設けた冷蔵庫。
【発明の詳細な説明】
【技術分野】
【０００１】
本発明は、空気中の臭気を除去する空気浄化装置に関するものである。
【背景技術】
【０００２】
従来、この種の空気浄化装置の脱臭手段としては、通風路をその断面全体でせき止めるように配置された、直方体のフィルタ形式のものが知られている（例えば、特許文献１参照）。
【特許文献１】特開昭６０−１６６０２０号公報
【発明の開示】
【発明が解決しようとする課題】
【０００３】
このような従来の空気浄化装置に用いられる、通風路断面全体をせき止める方式の脱臭手段は圧力損失が高いという課題があった。また、近年では、冷蔵庫などの分野に於いては、大きな内容量と共に装置の小型化が求められ、庫内の脱臭を行う空気浄化装置は大きさや配置場所が制限されるようになってきた。そのため、図６に示すように、空気浄化装置の通風路は、その断面の形状が方形でなかったり複雑な形状であるという場合も多く、脱臭手段をその形状に加工することが困難で、生産コストが高いという課題があった。
【０００４】
本発明は、このような従来の課題を解決するものであり、圧力損失が小さく、また、生産コストが通風路断面形状に依存しない安価な脱臭手段を有する空気浄化装置を提供することを目的とする。
【課題を解決するための手段】
【０００５】
本発明の空気浄化装置は、上記目的を達成するために、脱臭手段と送風手段と通風路を備え、前記脱臭手段が、前期通風路の内壁面上に膜状に設けられる構造を有したものである。
【０００６】
この手段により、圧力損失が小さく、生産コストが通風路断面形状に依存しない安価な脱臭手段を備えた空気浄化装置が得られる。
【発明の効果】
【０００７】
本発明によれば、脱臭手段を通風路の内壁面に膜状に設けることにより、低い圧力損失で通風路を空気が通過しながら空気中の臭気を除去することが可能で、かつ脱臭手段の生産コストを通風路断面形状に依存することなく安価に抑えた空気浄化装置を提供できる。
【０００８】
また、通風路内壁面に配置する脱臭手段に脱臭材として粒状活性炭を用いることで、高い脱臭効率と低い圧力損失を有し、かつ脱臭手段の生産コストを通風路断面形状に依存することなく安価に抑えた空気浄化装置を提供できる。
【発明を実施するための最良の形態】
【０００９】
本発明の請求項１記載の発明は、脱臭手段と送風手段と通風路を備え、前記脱臭手段は、前記通風路の内壁面上に膜状に設けられることを特徴とするものであり、低い圧力損失で通風路を空気が通過しながら空気中の臭気を除去し、かつ脱臭手段の生産コストを通風路断面形状に依存することなく安価に抑える作用を有する。
【００１０】
また、脱臭手段は、粒状活性炭を脱臭材として用いることで、高い脱臭効率と低い圧力損失を有し、かつ脱臭手段の生産コストを通風路断面形状に依存することなく安価に抑える作用を有する。
【００１１】
また、脱臭手段は、脱臭剤を配したシート材であることを特徴とするものであり、低い圧力損失で通風路を空気が通過しながら空気中の臭気を除去し、かつ脱臭手段の生産コストを通風路断面形状に依存することなく安価に抑える作用を有する。
【００１２】
また、通風路が筒状の内壁を形成している場合において、脱臭手段は、通風路の内壁の形状にあわせてシート材を筒状に成型したものであり、この筒状の脱臭手段を通風路の上流側または下流側から挿入して形成されるものであり、様々な通風路の断面形状に適した形状で、かつ、容易に組み立て、取り付けができる空気浄化装置を提供することができる。
【００１３】
また、脱臭手段を脱臭剤を配した波板材としたものであり、低い圧力損失で通風路を空気が通過しながら空気中の臭気を除去し、かつ脱臭手段の生産コストを通風路断面形状に依存することなく安価に抑える作用を有する。
【００１４】
また、通風路が筒状の内壁を形成している場合において、脱臭手段は、波板材を用いて、この波板の折り目の方向を通風方向と平行にし、波板材を屈曲させて通風路の内壁に貼り付けられるものであり、様々な通風路の断面形状に適した形状で、かつ、容易に組み立て、取り付けができる空気浄化装置を提供することができる。
【００１５】
また、波板材に平板材を貼り合せて構成したものであり、低い圧力損失で通風路を空気が通過しながら空気中の臭気を除去する作用と、波板材の形状を安定させ、脱臭手段の生産コストを通風路断面形状に依存することなく安価に抑える作用を有する。
【００１６】
また、脱臭手段を通風路の内壁に貼り付ける際、屈曲部となる位置で平板材を切断するものであり、表裏に平板材を貼り付けて波板材の形状を安定化した場合においても様々な通風路の断面形状に適した形状を実現することができる。
【００１７】
また、脱臭手段の波板材、および平板材は、紙と脱臭剤を主原料として構成されるものであり、低い圧力損失で通風路を空気が通過しながら空気中の臭気を除去する作用と、板材の加工性を高め、脱臭手段の生産コストを通風路断面形状に依存することなく安価に抑える作用を有する。
【００１８】
（実施の形態１）
本発明の第１の実施の形態による空気浄化装置５は、図１に示すように、通風路１と、この通風路１の内壁面２に膜状に貼り付けるように設けた脱臭手段３と、送風手段４によって構成される。脱臭手段３は、詳しくは、図２に示すように、網目状シート１２に粒状活性炭１１を添着して構成されている。
【００１９】
このような構成の空気浄化装置５は、送風手段４が導入する空気６が通風路１を通過するときに脱臭手段３が空気６に含まれる臭気を除去するものである。
【００２０】
このような構成によれば、図６に示すような、従来の脱臭手段１０３を通風路１０１の断面に平行に配置して空気を垂直に受け止める従来の方式に比べて空気６が通風路１を通過するときの圧力損失を低くすることができる。また、脱臭手段３の形態として一般的に知られるハニカム状のものの中で、図１に示すような曲線を含む断面形状や多角形などの断面形状を持つ通風路１に適用させる場合は、その加工が困難で生産コストが高くなるが、本方式の脱臭手段３は、例えば薄膜状に加工された状態で内壁面２に沿って貼り付けて配置するものであるため、通風路１が特殊な断面形状であっても、加工が困難になることはなく、安価に生産することが可能である。
【００２１】
また、通風路１の内壁面２に脱臭手段３を膜状に配置するには、内壁面２上に脱臭剤を塗装する方法などが考えられるが、脱臭効率を高めるために多量の脱臭剤を塗布することは、塗装膜の固着性を損なうことになり不都合である。そのため、粒状活性炭１１を平面状に配置したものであれば、塗装膜であるよりも多くの量の脱臭剤がひとかたまりの粒となっていて、見かけ上は厚みの大きい塗装膜のはたらきをして、脱臭効率を高めることが可能となる。
【００２２】
図３に示すのは、脱臭手段３として、脱臭剤を含んだ平板材を通風路１の断面形状に合わせて加工して、内壁面２上に配置したものである。通風路１の内壁面２に脱臭剤を塗装するよりも加工が容易で、特に通風路１が長い場合には、脱臭手段３を通風路の開放部から挿入することで簡単に配置することができる。
【００２３】
また、脱臭手段３としては、紙と脱臭剤を主原料として構成された板材を基材としてもちいる。このような構成により、脱臭剤が紙の繊維間に保持されるため、多量の脱臭剤を含むことが可能であり、通風路１の内壁面２に塗装膜を形成する場合に比べて脱臭効率が高い。また、この板材であれば平板の状態でも、波板状に加工してからでも通風路形状に合わせた加工をすることが可能である。
【００２４】
なお、このような空気浄化装置５は、冷蔵庫のような取付場所に制限のある機器に適したものである。
【００２５】
（実施の形態２）
図４に示すように、脱臭手段３は、脱臭剤を含んだ波板材を通風路１の断面形状に合わせて加工して、内壁面２上に配置したものである。通風路１の内壁面２に脱臭剤を塗装するよりも加工が容易で、特に通風路１が長い場合には、脱臭手段３を通風路の開放部から挿入することで簡単に配置することができる。また、平板状であるよりも脱臭手段３の表面積が大きいため、脱臭効率が高くなる。
【００２６】
（実施の形態３）
また、第３の実施の形態は、図５に示すように、波板材２１に平板材２２を貼り合わせて構成するものである。このような構成によれば、通風路の断面形状に合わせて加工するときに形状が安定し、通風路１内に挿入するときの作業性がよい。また、通風路の壁面の屈曲部においては、脱臭手段３の平板材を波板材の折り目に沿って切断することにより、通風路の断面形状に適した形状に容易に加工することができる。
【産業上の利用可能性】
【００２７】
本発明の空気浄化装置を臭気の存在する雰囲気中で運転することにより、空気中の臭気を除去する用途に使うことができる。
【図面の簡単な説明】
【００２８】
【図１】本発明の実施の形態１の空気浄化装置の説明図
【図２】本発明の実施の形態１の脱臭手段の説明図
【図３】本発明の実施の形態１の脱臭手段の説明図
【図４】本発明の実施の形態２の脱臭手段の説明図
【図５】本発明の実施の形態３の脱臭手段の説明図
【図６】従来のの脱臭フィルタの説明図
【符号の説明】
【００２９】
１    通風路
２    内壁面
３    脱臭手段
４    送風手段
５    空気浄化装置
６    空気
１１  粒状活性炭
１２  網目状シート
２１  波板材
２２  平板材
【図１】
2009189602.tif 000003
【図２】
2009189602.tif 000004
【図３】
2009189602.tif 000005
【図４】
2009189602.tif 000006
【図５】
2009189602.tif 000007
【図６】
2009189602.tif 000008